(57)【要約】【課題】携帯型発光装置の発光色を、携帯型発光装置の保持者以外の人の意志に従って変更できるようにする。【解決手段】携帯型発光装置１０は、例えばコンサート等のイベントで用いられるペンライトであり、発光部１１０、光検出部１２０、及び制御部１３０を備えている。発光部１１０は発光色が可変である。光検出部１２０は光の強度を検出する。制御部１３０は、光検出部１２０の検出値に基づいて、発光部１１０の発光色を制御する。例えば、光検出部１２０の検出値が基準値を下回っているとき、制御部１３０は発光部１１０を第１の発光色で発光させる。そして、光検出部１２０の検出値が基準値以上になると、制御部１３０は発光部１１０を、第１の発光色とは異なる第２の発光色で発光させる。【選択図】図２
2019021580.tif 000002
【特許請求の範囲】
【請求項１】
発光色が可変である発光部と、
光の強度を検出する光検出部と、
前記光検出部の検出値に基づいて、前記発光部の発光色を制御する制御部と、
を備える携帯型発光装置。
【請求項２】
請求項１に記載の携帯型発光装置において、
前記制御部は、前記光検出部の検出値が基準値を下回っているとき、前記発光部の発光色を第１発光色にするとともに、前記光検出部の検出値が前記基準値以上になっている時に前記発光部の発光色を第２発光色にする携帯型発光装置。
【請求項３】
請求項２に記載の携帯型発光装置において、
前記制御部は、前記発光部の発光色を前記第２発光色で発光させているとき、前記光検出部の検出値が前記基準値を下回ってから予め定められた時間が経過した後に、前記発光部の発光色を前記第１発光色にする携帯型発光装置。
【請求項４】
請求項１に記載の携帯型発光装置において、
前記制御部は、
前記光検出部の検出値が基準値を下回っているとき、前記発光部の発光色を第１発光色にして、
前記光検出部の検出値が前記基準値以上になった時に前記発光部の発光色を第２発光色にするとともに、前記発光部の発光色を第２発光色にしてから予め定められた時間が経過した後に、前記発光部の発光色を第１発光色にする携帯型発光装置。
【請求項５】
請求項１に記載の携帯型発光装置において、
前記光検出部が検出する光は繰り返しオン／オフし、
前記制御部は、前記光検出部の検出値をデジタル信号として認識し、当該デジタル信号に基づいて前記発光部の発光色を制御する携帯型発光装置。
【請求項６】
請求項１〜５のいずれか一項に記載の携帯型発光装置において、
前記光検出部は赤外域の光を検出する携帯型発光装置。
【請求項７】
請求項１〜６のいずれか一項に記載の携帯型発光装置と、
複数の人を収容できる施設に設けられ、前記複数の人が存在する領域に、前記光検出部が検出可能な波長を含む光を照射する光照射装置と、
前記光照射装置の光の照射方向を制御する制御装置と、
を備える発光システム。
【請求項８】
請求項１〜６のいずれか一項に記載の携帯型発光装置を複数の人に所持させ、
前記複数の人がいる領域に向けて、前記光検出部が検出可能な波長を含む光を照射するとともに、前記領域のうち当該光を照射する部分を動かす携帯型発光装置の制御方法。
【発明の詳細な説明】
【技術分野】
【０００１】
本発明は、携帯型発光装置、発光システム、及び携帯型発光装置の制御方法に関する。
【背景技術】
【０００２】
コンサート会場等において、携帯型発光装置（ペンライトなど）が用いられることがある。例えば特許文献１には、発光色が可変なペンライトが開示されている。
【先行技術文献】
【特許文献】
【０００３】
【特許文献１】特開２０１５−１４１７５４号公報
【発明の概要】
【発明が解決しようとする課題】
【０００４】
本発明者は、携帯型発光装置の発光色を携帯型発光装置の保持者以外の人（例えばイベントの主催者）の意志に従って変更できるようにすると、イベントがさらに盛り上がると考えた。
【０００５】
本発明は上記事情に鑑みてなされたものであり、その目的とするところは、携帯型発光装置の発光色を、携帯型発光装置の保持者以外の人の意志に従って変更できるようにすることにある。
【課題を解決するための手段】
【０００６】
本発明によれば、発光色が可変である発光部と、
光の強度を検出する光検出部と、
前記光検出部の検出値に基づいて、前記発光部の発光色を制御する制御部と、
を備える携帯型発光装置が提供される。
【０００７】
本発明によれば、上記した携帯型発光装置と、
複数の人を収容できる施設に設けられ、前記複数の人が存在する領域に、前記光検出部が検出可能な波長の光を照射する光照射装置と、
前記光照射装置の光の照射方向を制御する制御装置と、
を備える発光システムが提供される。
【０００８】
本発明によれば、上記した携帯型発光装置を複数の人に所持させ、
前記複数の人がいる領域に向けて、前記光検出部が検出可能な波長の光を照射するとともに、前記領域のうち当該光を照射する部分を動かす携帯型発光装置の制御方法が提供される。
【発明の効果】
【０００９】
本発明によれば、携帯型発光装置の発光色を、携帯型発光装置の保持者以外の人の意志に従って変更できる。
【図面の簡単な説明】
【００１０】
【図１】第１の実施形態に係る携帯型発光装置の正面図である。
【図２】携帯型発光装置の機能ブロック図である。
【図３】携帯型発光装置が使用される環境を説明するための模式図である
【図４】制御部による発光部の制御の第１例を示すフローチャートである。
【図５】制御部による発光部の制御の第２例を示すフローチャートである。
【図６】制御部による発光部の制御の第３例を示すフローチャートである。
【図７】第２の実施形態における制御部の動作の一例を示すフローチャートである。
【図８】制御部が行うＰＷＭ方式の制御を説明するための図である。
【発明を実施するための形態】
【００１１】
以下、本発明の実施の形態について、図面を用いて説明する。尚、すべての図面において、同様な構成要素には同様の符号を付し、適宜説明を省略する。
【００１２】
（第１の実施形態）
図１は、第１の実施形態に係る携帯型発光装置１０の正面図であり、図２は、携帯型発光装置１０の機能ブロック図である。携帯型発光装置１０は、例えばコンサート等のイベントで用いられるペンライトであり、発光部１１０、光検出部１２０、及び制御部１３０を備えている。発光部１１０は発光色が可変である。光検出部１２０は光の強度を検出する。制御部１３０は、光検出部１２０の検出値に基づいて、発光部１１０の発光色を制御する。以下、携帯型発光装置１０について詳細に説明する。
【００１３】
発光部１１０は、例えば複数種類の発光素子（例えばＬＥＤ）を有している。これら複数種類の発光素子は、いずれも可視光域の光を発光するが、互いに発光色が異なっている。発光部１１０は、赤色の発光素子、緑色の発光素子、及び青色の発光素子を少なくとも一つずつ有している。ただし、発光部１１０は、他の色の発光素子を有していてもよい。複数種類の発光素子は、発光タイミング及び発光強度が互いに独立して制御部１３０によって制御される。このため、制御部１３０は、ある種類の発光素子のみ発光させることもでき、また、少なくとも２種類以上の発光素子を同時に発光させることもできる。このため、発光部１１０は、少なくとも白色（昼白色を含む）の光を発光し、また、各発光素子それぞれの色（例えば赤色、青色、又は緑色）の光も発光する。
【００１４】
光検出部１２０はフォトダイオードなどの光電変換素子を有しており、携帯型発光装置１０の外光の強度を検出する。ここで、光検出部１２０が有する光電変換素子において、光電変換効率が最も高い波長は、発光部１１０が有するすべての発光素子のピーク波長と異なるようにするのが好ましい。特に、光電変換素子の光電変換効率が最も高い波長は、発光部１１０が有する発光素子の発光スペクトルにおいて、ピーク値の半分未満となっているのが好ましい。例えば光検出部１２０が有する光電変換素子は、赤外域の光を光電変換する。また、発光部１１０からの光が光検出部１２０に入射することを抑制するために、発光部１１０と光検出部１２０の間に遮光部材が設けられていてもよい。
【００１５】
制御部１３０は例えばＣＰＵを有しており、記憶部１３２（又は制御部１３０が内蔵しているメモリ）に記憶されているプログラムに従って、発光部１１０を制御する。制御部１３０は、例えば回路基板に搭載されたマイクロコンピュータ及び周辺回路である。
【００１６】
発光部１１０、光検出部１２０、及び制御部１３０は、携帯型発光装置１０のケース１２の中に収容されている。ケース１２は光透過性であるが、透過する光が拡散するような構成（例えば表面又は内面に凹凸を有するなど）を有しているのが好ましい。
【００１７】
図３は、携帯型発光装置１０が使用される環境を説明するための模式図である。上述したように、携帯型発光装置１０は、イベント会場で使用される。具体的には、イベントの複数の参加者（例えば観客）のそれぞれは、携帯型発光装置１０を所持している。そして、イベント会場には、光照射装置２０及び制御装置３０が設置されている。光照射装置２０は、参加者がいる領域（例えば観客席）に向けて、光を照射する。この光は、携帯型発光装置１０の光検出部１２０が検出可能な波長を含んでいる。光照射装置２０は、可視光域の光を発光してもよいし、可視光域の外にある光（例えば赤外光）を発光してもよい。また、光照射装置２０は、光の照射方向が可変である。制御装置３０は、光照射装置２０の光の照射方向を制御している。言い換えると、制御装置３０は、イベント会場において光が照射される位置を操作している。
【００１８】
そして、光照射装置２０は、参加者がいる領域に予め去られた軌跡（例えば文字や図形）を描くように、光照射装置２０の照射方向を制御する。すると、この軌跡と重なる位置の携帯型発光装置１０の発光色は変化する。このため、イベントの演出性を高めることができる。
【００１９】
図４は、制御部１３０による発光部１１０の制御の第１例を示すフローチャートである。通常の状態、すなわち携帯型発光装置１０に外光（例えば光照射装置２０からの光）が当たっていない状態では、光検出部１２０の検出値は基準値を下回っている（又は基準値以下）。このため、制御部１３０は発光部１１０を第１の発光色（例えば白色）で発光させる（ステップＳ１０）。なお、全ての携帯型発光装置１０の第１の発光色は、互いに同じであるのが好ましいが、一部の携帯型発光装置１０の第１の発光色は、他の携帯型発光装置１０の第１の発光色と異なっていてもよい。
【００２０】
そして、携帯型発光装置１０に外光が当たり、光検出部１２０の検出値が基準値以上（又は基準値超）になる（ステップＳ２０：Ｙｅｓ）と、制御部１３０は発光部１１０を、第１の発光色とは異なる第２の発光色（例えば赤色、青色、又は緑色）で発光させる（ステップＳ３０）。なお、全ての携帯型発光装置１０の第２の発光色は、互いに同じであってもよい。また、一部の携帯型発光装置１０の第２の発光色は、他の携帯型発光装置１０の第２の発光色と異なっていてもよい。
【００２１】
その後、光検出部１２０の検出値が基準値を下回る（ステップＳ４０：Ｙｅｓ）と、制御部１３０は発光部１１０の発光色を第１の発光色に戻す（ステップＳ１０）。
【００２２】
この第１の例によれば、携帯型発光装置１０の発光色は、一定以上の強度の光が携帯型発光装置１０に照射されているか否かで決まる。このため、イベントの演出性を高めることができる。
【００２３】
図５は、制御部１３０による発光部１１０の制御の第２例を示すフローチャートである。本図に示す例において、制御部１３０は、発光部１１０を第２の発光色で発光させた（ステップＳ３０）後、一定時間が経過したら（ステップＳ４２：Ｙｅｓ）、発光部１１０の発光色を第１の発光色に戻す。その他は図４に示した例と同様である。なお、ここでの一定時間は、例えば１秒以上であり、また、例えば６０秒以下である。
【００２４】
この第２の例によれば、携帯型発光装置１０の発光色は、一定以上の強度の光が照射されてから一定時間の間、第２の発光色になる。このため、イベント会場で光を走査することにより、イベント会場に文字や図柄などを描くことができる。このため、イベントの演出性を高めることができる。
【００２５】
図６は、制御部１３０による発光部１１０の制御の第３例を示すフローチャートである。本図に示す例において、発光部１１０は、発光部１１０を第２の発光色で発光させた（ステップＳ３０）後、光検出部１２０の検出値が基準値を下回る（ステップＳ４０：Ｙｅｓ）と、そのタイミングから一定の時間が経過してから（ステップＳ４４：Ｙｅｓ）、発光部１１０の発光色を第１の発光色に戻す。その他は図４に示した例と同様である。
【００２６】
この第３の例によれば、第２の例と同様に、イベント会場で光を走査することにより、イベント会場に文字や図柄などを描くことができる。このため、イベントの演出性を高めることができる。
【００２７】
（第２の実施形態）
本実施形態に係る携帯型発光装置１０及び制御装置３０は、以下の点を除いて第１の実施形態に示した携帯型発光装置１０及び制御装置３０と同様である。
【００２８】
まず、制御装置３０は、光照射装置２０の発光を繰り返しオンオフさせる。このオンオフの周期は、例えば３０Ｈｚ以上、好ましくは５０Ｈｚ以上、さらに好ましくは１００Ｈｚ以上である。そしてこのオンオフは、デジタル信号を意味している。例えば制御装置３０は、デジタル信号の「１」を示す時には光照射装置２０を発光させ、デジタル信号の「０」を示す時には光照射装置２０を発光させない。
【００２９】
制御装置３０は、携帯型発光装置１０の発光パターンを示す識別情報を、光照射装置２０の発光によって出力する。そして携帯型発光装置１０は、光照射装置２０の発光が示す識別情報によって発光パターンを認識し、認識した発光パターンで発光する。
【００３０】
図７は、本実施形態における制御部１３０の動作の一例を示すフローチャートである。携帯型発光装置１０の光検出部１２０の出力は、光照射装置２０の発光のオンオフに従ってオンオフする。制御部１３０は、この光検出部１２０からの出力をデジタル信号として認識する（ステップＳ１００）。記憶部１３２には、光検出部１２０の発光パターンを示す情報が、例えば識別情報別に記憶されている。一つの発光パターンを示す情報には、発光色、発光強度、及び発光時間が少なくとも一組示されている。そして制御部１３０は、認識したデジタル信号を識別情報として扱い、この識別情報に対応する発光パターンを記憶部１３２から読み出して認識し（ステップＳ１２０）、読み出した発光パターンに従って発光部１１０を制御する（ステップＳ１３０）。
【００３１】
なお、制御部１３０は、発光部１１０の発光強度を、例えばＰＷＭ方式を用いて複数階調（例えば２５５階調）に制御する。具体的には、制御部１３０は、図８に示すように、１周期（Ｔ）におけるオン時間の割合（Ｔｏｎ／（Ｔｏｎ＋Ｔｏｆｆ））を制御することにより、発光部１１０の発光強度を制御する。なお、隣り合う階調におけるＴｏｎの長さの差は、一定であってもよいし、異なっていてもよい。例えば、発光部１１０が有する発光素子の発光特性と、人の目の視感度とにより、直線的に発光強度が変化していると人が感じるように、各階調におけるＴｏｎの長さを定めてもよい。
【００３２】
以上、本実施形態によれば、制御装置３０は携帯型発光装置１０に発光パターンを示す情報を送信できる。このため、イベントの演出性を高めることができる。
【００３３】
以上、図面を参照して本発明の実施形態について述べたが、これらは本発明の例示であり、上記以外の様々な構成を採用することもできる。
【符号の説明】
【００３４】
１０ 携帯型発光装置
２０ 光照射装置
３０ 制御装置
１１０ 発光部
１２０ 光検出部
１３０ 制御部
１３２ 記憶部
【図１】
2019021580.tif 000003
【図２】
2019021580.tif 000004
【図３】
2019021580.tif 000005
【図４】
2019021580.tif 000006
【図５】
2019021580.tif 000007
【図６】
2019021580.tif 000008
【図７】
2019021580.tif 000009
【図８】
2019021580.tif 000010
【手続補正書】
【提出日】平成30年6月18日(2018.6.18)
【手続補正１】
【補正対象書類名】特許請求の範囲
【補正対象項目名】全文
【補正方法】変更
【補正の内容】
【特許請求の範囲】
【請求項１】
発光色が可変である発光部と、
光の強度を検出する光検出部と、
前記光検出部の検出値に基づいて、前記発光部の発光色を制御する制御部と、
を備え、
前記制御部は、前記光検出部の検出値が基準値を下回っているとき、前記発光部の発光色を第１発光色にするとともに、前記光検出部の検出値が前記基準値以上になっている時に前記発光部の発光色を第２発光色にする携帯型発光装置。
【請求項２】
請求項１に記載の携帯型発光装置において、
前記制御部は、前記発光部の発光色を前記第２発光色で発光させているとき、前記光検出部の検出値が前記基準値を下回ってから予め定められた時間が経過した後に、前記発光部の発光色を前記第１発光色にする携帯型発光装置。
【請求項３】
発光色が可変である発光部と、
光の強度を検出する光検出部と、
前記光検出部の検出値に基づいて、前記発光部の発光色を制御する制御部と、
を備え、
前記制御部は、
前記光検出部の検出値が基準値を下回っているとき、前記発光部の発光色を第１発光色にして、
前記光検出部の検出値が前記基準値以上になった時に前記発光部の発光色を第２発光色にするとともに、前記発光部の発光色を第２発光色にしてから予め定められた時間が経過した後に、前記発光部の発光色を第１発光色にする携帯型発光装置。
【請求項４】
請求項１〜３のいずれか一項に記載の携帯型発光装置において、
前記光検出部は赤外域の光を検出する携帯型発光装置。
【請求項５】
請求項１〜４のいずれか一項に記載の携帯型発光装置と、
複数の人を収容できる施設に設けられ、前記複数の人が存在する領域に、前記光検出部が検出可能な波長を含む光を照射する光照射装置と、
前記光照射装置の光の照射方向を制御する制御装置と、
を備える発光システム。
【請求項６】
請求項１〜４のいずれか一項に記載の携帯型発光装置を複数の人に所持させ、
前記複数の人がいる領域に向けて、前記光検出部が検出可能な波長を含む光を照射するとともに、前記領域のうち当該光を照射する部分を動かす携帯型発光装置の制御方法。
【手続補正書】
【提出日】平成30年10月24日(2018.10.24)
【手続補正１】
【補正対象書類名】特許請求の範囲
【補正対象項目名】全文
【補正方法】変更
【補正の内容】
【特許請求の範囲】
【請求項１】
携帯型発光装置であって、
発光色が可変である発光部と、
光の強度を検出する光検出部と、
前記光検出部の検出値に基づいて、前記発光部の発光色を制御する制御部と、
を備え、
前記制御部は、当該携帯型発光装置及び他の前記携帯型発光装置とは異なる光照射装置からの光を検出したときの前記検出値である第１検出値が基準値を下回っているとき、前記発光部の発光色を第１発光色にするとともに、前記第１検出値が前記基準値以上になっている時に前記発光部の発光色を第２発光色にする携帯型発光装置。
【請求項２】
請求項１に記載の携帯型発光装置において、
前記制御部は、前記発光部の発光色を前記第２発光色で発光させているとき、前記第１検出値が前記基準値を下回ってから予め定められた時間が経過した後に、前記発光部の発光色を前記第１発光色にする携帯型発光装置。
【請求項３】
携帯型発光装置であって、
発光色が可変である発光部と、
光の強度を検出する光検出部と、
前記光検出部の検出値に基づいて、前記発光部の発光色を制御する制御部と、
を備え、
前記制御部は、
当該携帯型発光装置及び他の前記携帯型発光装置とは異なる光照射装置からの光を検出したときの前記検出値である第１検出値が基準値を下回っているとき、前記発光部の発光色を第１発光色にして、
前記第１検出値が前記基準値以上になった時に前記発光部の発光色を第２発光色にするとともに、前記発光部の発光色を第２発光色にしてから予め定められた時間が経過した後に、前記発光部の発光色を第１発光色にする携帯型発光装置。
【請求項４】
請求項１〜３のいずれか一項に記載の携帯型発光装置において、
前記光検出部は赤外域の光を検出する携帯型発光装置。
【請求項５】
請求項１〜４のいずれか一項に記載の携帯型発光装置と、
前記光照射装置であって、複数の人を収容できる施設に設けられ、前記複数の人が存在する領域に、前記光検出部が検出可能な波長を含む光を照射する光照射装置と、
前記光照射装置の光の照射方向を制御する制御装置と、
を備える発光システム。
【請求項６】
請求項１〜４のいずれか一項に記載の携帯型発光装置を複数の人に所持させ、
前記光照射装置を用いて、前記複数の人がいる領域に向けて、前記光検出部が検出可能な波長を含む光を照射するとともに、前記領域のうち当該光を照射する部分を動かす携帯型発光装置の制御方法。